(57)【要約】【課題】循環経路のない単純な構成で異常状態でも安全に機器を制御できることを目的とする。【解決手段】第１の温度検知手段１７Ａは補助加熱手段１周辺の温度を検知するためにヒーターケース１０内にセンサー感知部を露出させて取り付け、第２の温度検知手段１７Ｂは吸放湿手段１１９を通過した後の空気温度を検知できる補助加熱手段１の対面の位置に配置する。この配置により補助加熱手段１に供給される除湿対象空気１１６が減少した時は、第１の温度検知手段１７Ａが温度上昇を検知し、異常によりハニカムローター１０８の回転が停止した時もしくは除湿対象空気１１６の相対湿度が低下した時には、第２の温度検知手段１７Ｂが温度急上昇を素速く検知する。次に温度検知手段１７Ａ、１７Ｂの信号を受けて図１に示す出力調整手段１８が補助加熱手段１の出力制御を行うことで、異常状態が発生しても安全に機器を制御できる。【選択図】図１
2006175390.tif 000002
【特許請求の範囲】
【請求項１】
冷媒（１１７）を圧縮する圧縮機（１０２）と、前記冷媒（１１７）が供給空気に対して放熱する放熱器（１０３）と、前記冷媒（１１７）が膨張する膨張機構（１０４）および前記冷媒（１１７）が供給空気から吸熱する吸熱器（１０５）を有するヒートポンプ（１１８）と、供給空気から吸湿する吸湿部（１２０）と供給空気に放湿する放湿部（１２１）を有する吸着剤（１０７）が担持されたハニカムローター（１０８）で構成された吸放湿手段（１１９）と前記放熱器（１０３）と前記放湿部（１２１）の間に供給空気の温度を上昇させて供給空気の相対湿度を下げる補助加熱手段（１）を備え、除湿対象空気（１１６）を前記放熱器（１０３）、前記補助加熱手段（１）、前記放湿部（１２１）、前記吸熱器（１０５）、前記吸湿部（１２０）の順に供給するとともに、第１の温度検知手段（１７）を前記補助加熱手段（１）周辺に設け、第２の温度検知手段（１７Ｂ）を前記吸放湿手段（１１９）を通過した風路中に設け、前記第１と第２の温度検知手段（１７）の出力に応じて前記補助加熱手段（１）の出力を制御する出力調整手段（１８）を備えた除湿装置。
【請求項２】
第１の温度検知手段（１７Ａ）を補助加熱手段（１）中にセンサー部を露出するように備えた請求項１記載の除湿装置。
【請求項３】
第１の温度検知手段（１７Ｃ）を補助加熱手段（１）を通過した風路中に備えた請求項１記載の除湿装置。
【請求項４】
第１の温度検知手段（１７Ｄ）を補助加熱手段（１）を支持または形成する構造体に備えた請求項１記載の除湿装置。
【請求項５】
温度検知手段（１７Ｅ）を補助加熱手段（１）の風上でかつ上方の位置に備えた請求項１記載の除湿装置。
【請求項６】
本体外郭部に機外雰囲気温度を検知する機外雰囲気温度検知手段（２２）と圧縮機を運転制御する圧縮機制御手段を備え、前記機外雰囲気温度検知手段（２２）の検出温度に応じて前記圧縮機制御手段または／かつ前記出力調整手段（１８）を駆動してなる請求項１記載の除湿装置。
【請求項７】
本体外郭部に機外雰囲気湿度を検知する機外雰囲気湿度検知手段（２３）を備え、前記機外雰囲気湿度検知手段（２３）の検出湿度と機外雰囲気温度検知手段（２２）の検出温度に応じて、圧縮機制御手段または／かつ前記出力調整手段（１８）を駆動してなる請求６記載の除湿装置。
【発明の詳細な説明】
【技術分野】
【０００１】
本発明は、圧縮機、放熱器、膨張機構、吸熱器等から構成されるヒートポンプと、吸着剤や吸収剤を用いて吸放湿を行う吸放湿手段を備えた除湿装置に関する。
【背景技術】
【０００２】
従来のヒートポンプと吸放湿手段を備えた除湿装置としては、放熱器、吸放湿手段の放湿部、吸熱器の順に空気を循環させるものがある（例えば、特許文献１参照）。
【０００３】
以下、その除湿装置について図１４を参照しながら説明する。
【０００４】
図２０に示すように、除湿装置の本体１０１内には、圧縮機１０２、放熱器１０３、膨張機構１０４、吸熱器１０５を配管接続した冷媒回路１０６と、吸着剤１０７が担持されたハニカムローター１０８が設けられており、循環ファン１０９によって送風される循環空気１１０が、放熱器１０３、ハニカムローター１０８の一部、吸熱器１０５の順に循環するように循環経路１１１が形成されている。また、ハニカムローター１０８の他の部分は、吸込口１１２および吹出口１１３を開口した供給経路１１４内に配置されており、供給ファン１１５によって除湿対象空気１１６が供給されている。
【０００５】
また、冷媒回路１０６内には冷媒１１７が充填されており、この冷媒１１７が、圧縮機１０２で圧縮されることによって、放熱器１０３、膨張機構１０４、吸熱器１０５の順に冷媒回路１０６内を循環し、放熱器１０３において循環空気１１０に放熱するとともに、吸熱器１０５において循環空気１１０から吸熱することによってヒートポンプ１１８を動作させている。
【０００６】
ハニカムローター１０８は、図示しない駆動手段によって回転しており、この回転に伴いハニカムローター１０８に担持された吸着剤１０７が、循環経路１１１内における循環空気１１０との接触と供給経路１１４内における除湿対象空気１１６との接触を繰り返している。この吸着剤１０７は、晒される空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着剤１０７の保持可能な水分量の差に応じて水分の吸脱着が行われることになる。
【０００７】
ここで、循環経路１１１内で吸着剤１０７と接触する循環空気１１０は、放熱器１０３において冷媒１１７の放熱により加熱されて除湿対象空気１１６よりも低い相対湿度の空気となっているので、この相対湿度の差によって、吸着剤１０７が除湿対象空気１１６中の水分を吸着し、吸着した水分を循環空気１１０中に脱着するように作用する。この吸脱着作用によって吸放湿手段１１９としての動作がなされることとなり、ハニカムローター１０８の供給経路１１４内に位置する部分が除湿対象空気１１６から吸湿する吸湿部１２０、ハニカムローター１０８の循環経路１１１内に位置する部分が循環空気１１０へ放湿する放湿部１２１となる。
【０００８】
吸湿部１２０において吸湿された除湿対象空気１１６は低湿の空気となって吹出口１１３から本体１０１外部に吹出し、放湿部１２１において放湿された循環空気１１０は、高湿の空気となって吸熱器１０５に供給される。吸熱器１０５に供給された高湿の循環空気１１０は、冷媒１１７の吸熱によって露点温度以下まで冷却されて空気中の水分が飽和する。この飽和した水分が凝縮してタンク１２２に滴下し、このタンク１２２に溜まった凝縮水の量が除湿装置の除湿量となるのである。
【０００９】
また、吸放湿手段と温度センサーを備えた除湿装置で、温度センサーにより異常を検出するものがある（例えば、特許文献２参照）。
【００１０】
以下、その除湿装置について図２１を参照しながら説明する。
【００１１】
図１５に示すように断面楕円形状のケーシング１２３内に、除湿ローター１３１、メインファン１３２、サブファン１３３、加熱ヒーター１３５、熱交換器１３７および貯水タンク１４０を配設している。ケーシング１２３には、下方側背面に並設した複数のスリットからなる吸気口１２４が形成され、上方側背面に回動可能に配設したルーバー１２５を備えた排気口１２６が形成されている。また、このケーシング１２３の内部は、除湿通路１２７と再生通路１２８とに区画されている。さらに、ケーシング１２３には、下方前面側に貯水タンク１４０を着脱可能に収容する収容室１２９が形成されている。この収容室１２９を構成する上壁前方部には排水孔１３０が設けられている。具体的には、前記再生通路１２８は、サブファン１３３を収容したファンケース１３３ａ、該ファンケース１３３ａの出口に接続したダクト部材１３４、該ダクト部材１３４に接続した加熱ヒーター１３５のヒーターケース１３６、該ヒーターケース１３６と除湿ローター１３１を介して接続した熱交換器１３７のダクト部材１３９Ａ、該ダクト部材１３９Ａと接続した熱交換器１３７のパイプ１３８、および該パイプ１３８に接続するとともに前記ファンケース１３３ａに接続したダクト部材１３９Ｂにより構成され、高温の再生空気を循環させる閉塞された循環路を形成している。そして、この区画された再生通路１２８および前記貯水タンク１４０の収容室１２９を除くケーシング１２３内が、前記除湿ローター１３１を介して吸気口１２４と排気口１２６とを連通させる除湿通路１２７を構成する。再生通路１２８内において除湿ローター１３１を挟んで加熱ヒーター１３５と反対側に温度検出手段（サーミスタ１４１）を設けるとともに、除湿ローター１３１の再生最適温度に対応する制御温度Ｔを設定し、温度検出手段による検出温度が制御温度Ｔより大きい場合には加熱ヒーター１３５への通電率を低くする一方、温度検出手段による検出温度が制御温度Ｔより小さい場合には加熱ヒーター１３５への通電率を高くする。また、加熱ヒーター１３５への通電率が最小である場合にはサブファン１３３による送風量を上げる一方、加熱ヒーター１３５への通電率が最大である場合にはサブファン１３３による送風量を下げる。
【特許文献１】特開昭６３−１４２３号公報（第２−３頁、第１図）
【特許文献２】特開２００４−１９７９７２号公報（第８頁、第１図）
【発明の開示】
【発明が解決しようとする課題】
【００１２】
以上の例では、１つの温度検出手段による異常検出では、異常発生部からの物理的な距離により検出値にタイムラグが生じ、周囲の樹脂部品に変形等の劣化が生じる可能性があり、異常時に安全性を充分に確保できることが要求されている。
【００１３】
また、除湿対象空気が低温の場合に吸熱器１０５表面に霜がつき極端に除湿量が低下するという問題点があり、低温でも除湿量を保つことが要求されている。
【００１４】
また、除湿対象空気が低湿の場合にハニカムローター１０８を過剰に加熱することによる吸着性能が低下するという問題点があり、低湿でもハニカムローター１０８への過剰加熱を防止することが要求されている。
【００１５】
本発明は上記課題を解決するものであり、異常状態におかれてもタイムラグを生じずに安全に機器を保護でき、また除湿対象空気が低温の場合にも安定して効率の良い除湿ができ、また除湿対象空気が低湿の場合にもハニカムローターの熱劣化を抑えた運転ができる除湿装置を提供することを目的としている。
【課題を解決するための手段】
【００１６】
上記した目的を達成するために、本発明が講じた第１の課題解決手段は、冷媒（１１７）を圧縮する圧縮機（１０２）と、前記冷媒（１１７）が供給空気に対して放熱する放熱器（１０３）と、前記冷媒（１１７）が膨張する膨張機構（１０４）および前記冷媒（１１７）が供給空気から吸熱する吸熱器（１０５）を有するヒートポンプ（１１８）と、供給空気から吸湿する吸湿部（１２０）と供給空気に放湿する放湿部（１２１）を有する吸着剤（１０７）が担持されたハニカムローター（１０８）で構成された吸放湿手段（１１９）と前記放熱器（１０３）と前記放湿部（１２１）の間に供給空気の温度を上昇させて供給空気の相対湿度を下げる補助加熱手段（１）を備え、除湿対象空気（１１６）を前記放熱器（１０３）、前記補助加熱手段（１）、前記放湿部（１２１）、前記吸熱器（１０５）、前記吸湿部（１２０）の順に供給するとともに、第１の温度検知手段（１７）を前記補助加熱手段（１）周辺に設け、第２の温度検知手段（１７Ｂ）を前記吸放湿手段（１１９）を通過した風路中に設け、この前記温度検知手段（１７、１７Ｂ）の出力に応じて前記補助加熱手段（１）の出力を制御する出力調整手段（１８）を備えた構成としたものである。
【００１７】
また、本発明が講じた第２の課題解決手段は、上記第１の課題解決手段において、第１の温度検知手段（１７Ａ）を前記補助加熱手段（１）中にセンサー部を露出するように設け、第２の温度検知手段（１７Ｂ）を前記吸放湿手段（１１９）を通過した風路中に設け、この前記温度検知手段（１７Ａ、１７Ｂ）の出力に応じて前記補助加熱手段（１）の出力を制御する出力調整手段（１８）を備えた構成としたものである。
【００１８】
また、本発明が講じた第３の課題解決手段は、上記第１の課題解決手段において、第１の温度検知手段（１７Ｃ）を前記補助加熱手段（１）を通過した風路中に、第２の温度検知手段（１７Ｂ）を前記吸放湿手段（１１９）を通過した風路中に設け、この前記温度検知手段（１７Ｃ、１７Ｂ）の出力に応じて前記補助加熱手段（１）の出力を制御する出力調整手段（１８）を備えた構成としたものである。
【００１９】
また、本発明が講じた第４の課題解決手段は、上記第１の課題解決手段において、第１の温度検知手段（１７Ｄ）を前記補助加熱手段（１）を支持または形成する構造体に、第２の温度検知手段（１７Ｂ）を前記吸放湿手段（１１９）を通過した風路中に設け、この前記温度検知手段（１７Ｄ、１７Ｂ）の出力に応じて前記補助加熱手段（１）の出力を制御する出力調整手段（１８）を備えた構成としたものである。
【００２０】
また、本発明が講じた第５の課題解決手段は、上記第１の課題解決手段において、第１の温度検知手段（１７Ｅ）を前記補助加熱手段（１）の風上で且つ上方の位置に、第２の温度検知手段（１７Ｂ）を前記吸放湿手段（１１９）を通過した風路中に設け、この前記温度検知手段（１７Ｅ、１７Ｂ）の出力に応じて前記補助加熱手段（１）の出力を制御する出力調整手段（１８）を備えた構成としたものである。
【００２１】
これらの手段により、異常が発生した際の温度上昇を素速く検知し、異常状態におかれてもタイムラグを生じずに安全に機器を保護できる除湿装置が得られる。
【００２２】
また、本発明が講じた第６の課題解決手段は、上記第１の課題解決手段において、本体外郭部に機外雰囲気温度を検知する機外雰囲気温度検知手段（２２）を備えた構成としたものである。
【００２３】
この手段により、除湿対象空気が低温の場合にも安定して効率の良い除湿ができる除湿装置が得られる。
【００２４】
また、本発明が講じた第７の課題解決手段は、上記第１の課題解決手段において、本体外郭部に機外雰囲気湿度を検知する機外雰囲気湿度検知手段（２３）を備えた構成としたものである。
【００２５】
この手段により、除湿対象空気が低湿の場合にもハニカムローターの熱劣化を抑えた運転ができる除湿装置が得られる。
【発明の効果】
【００２６】
本発明によれば、異常が発生した際の温度上昇を素速く検知でき、異常状態におかれてもタイムラグを生じずに安全に機器を保護できる除湿装置を提供できる。
【００２７】
また、除湿対象空気が低温の場合にも安定して効率の良い除湿ができる除湿装置を提供できる。
【００２８】
また、除湿対象空気が低湿の場合にもハニカムローターの熱劣化を抑えた運転ができる除湿装置が得られる。
【発明を実施するための最良の形態】
【００２９】
本発明の請求項１記載の発明は、冷媒１１７を圧縮する圧縮機１０２と、前記冷媒１１７が供給空気に対して放熱する放熱器１０３と、前記冷媒１１７が膨張する膨張機構１０４および前記冷媒１１７が供給空気から吸熱する吸熱器１０５を有するヒートポンプ１１８と、供給空気から吸湿する吸湿部１２０と供給空気に放湿する放湿部１２１を有する吸着剤１０７が担持されたハニカムローター１０８で構成された吸放湿手段１１９と前記放熱器１０３と前記放湿部１２１の間に供給空気の温度を上昇させて供給空気の相対湿度を下げる補助加熱手段１を備え、除湿対象空気１１６を前記放熱器１０３、前記補助加熱手段１、前記放湿部１２１、前記吸熱器１０５、前記吸湿部１２０の順に供給するとともに、第１の温度検知手段１７を前記補助加熱手段１周辺に設け、第２の温度検知手段１７Ｂを前記吸放湿手段１１９を通過した風路中に設け、前記第１と第２の温度検知手段１７の出力に応じて前記補助加熱手段１の出力を制御する出力調整手段１８を備えたものであり、異常が発生した際の温度上昇を素速く検知でき、異常状態におかれてもタイムラグを生じずに安全に機器を保護することができるという作用を有する。
【００３０】
また、第１の温度検知手段１７Ａを補助加熱手段１中にセンサー部を露出するように備えたものであり、異常が発生した際の温度上昇を素速く、かつ正確に検知でき、異常状態におかれてもタイムラグを生じずに安全に機器を保護することができるという作用を有する。
【００３１】
また、第１の温度検知手段１７Ｃを補助加熱手段１を通過した風路中に備えたものであり、異常が発生した際の温度上昇と除湿対象空気１１６の温度低下を素速く検知でき、異常状態におかれてもタイムラグを生じずに安全に機器を保護し、除湿対象空気１１６が低温の場合にも安定して効率の良い除湿をすることができるという作用を有する。
【００３２】
また、第１の温度検知手段１７Ｄを補助加熱手段１を支持または形成する構造体に備えたものであり、第１の温度検知手段１７Ｄを容易に取り付けできるとともに、構造体を介して異常高温を伝導熱として即時に検知できるので、異常が発生した際の温度上昇と補助加熱手段１自体の異常を素速く検知でき、異常状態におかれてもタイムラグを生じずに安全に機器を保護することができるという作用を有する。
【００３３】
また、第１の温度検知手段１７Ｅを補助加熱手段１の風上でかつ上方の位置に備えたものであり、第１の温度検知手段１７Ｅ周辺を通過する送風量の変化は、温度変化として即時に検知できるので、異常が発生した際の温度上昇と加熱対象空気供給量減少の際の温度上昇を素速く検知でき、異常状態におかれてもタイムラグを生じずに安全に機器を保護することができるという作用を有する。
【００３４】
また、本体外郭部に機外雰囲気温度を検知する機外雰囲気温度検知手段２２を備えたものであり、除湿対象空気があらかじめ設定した温度範囲であることを検知して運転を開始するとともに、設定範囲内でも低温と高温に対応した運転を行うので、機器に大きな負担をかけることなく安定して効率の良い除湿ができるという作用を有する。
【００３５】
また、本体外郭部に機外雰囲気湿度を検知する機外雰囲気湿度検知手段２３を備えたものであり、除湿対象空気があらかじめ設定した湿度範囲であることを検知して運転を開始するとともに、設定範囲内でも除湿対象空気が低湿と高湿に対応した運転を行うので、コンプレッサーやハニカムローターの劣化を抑えた運転ができるという作用を有する。
【００３６】
以下、本発明の実施の形態について図面を参照しながら説明する。なお、従来の例と同一の構成要素については同一の符号を用い、詳細な説明は省略する。
【００３７】
（実施の形態１）
図１および図２に示すように、除湿装置の本体１０１内に、圧縮機１０２、放熱器１０３、膨張機構１０４、吸熱器１０５を配管接続した冷媒回路１０６と、供給空気から吸湿する吸湿部１２０および供給空気に対して放湿する放湿部１２１を有する吸放湿手段１１９と放熱器１０３と放湿部１２１の間に供給空気の温度を上昇させて供給空気の相対湿度を下げる補助加熱手段１を設け、冷媒回路１０６内に冷媒１１７を充填している。また、本体１０１には吸込口１１２と吹出口１１３を開口し、除湿対象空気用送風ファン４の運転によって本体１０１内に供給された除湿対象空気１１６が、放熱器１０３、補助加熱手段１、放湿部１２１、吸熱器１０５、吸湿部１２０に順に供給されて吹出口１１３より本体１０１外部に流出し、また、加熱対象空気用送風ファン２の運転によって加熱対象空気３が、除湿対象空気１１６と同一方向から放熱器１０３に供給されて吹出口１１３より本体１０１外部に流出するように風路を形成している。また、温度を検知する第１の温度検知手段１７Ａを補助加熱手段１中にセンサー部を露出するように設け、第２の温度検知手段１７Ｂを補助吸放湿手段１１９を通過した風路中に設け、この温度検知手段１７Ａ、１７Ｂの出力に応じて補助加熱手段１の出力を制御する出力調整手段１８を備えている。そして、圧縮機１０２により冷媒１１７を圧縮することによって、冷媒１１７が、放熱器１０３、膨張機構１０４、吸熱器１０５の順に冷媒回路１０６内を循環し、放熱器１０３に供給される除湿対象空気１１６および加熱対象空気３に対して放熱するとともに吸熱器１０５に供給される除湿対象空気１１６から吸熱することによってヒートポンプ１１８を作動させる構成となっている。吸放湿手段１１９は、吸着剤１０７が担持された軸方向に通風可能な円筒状のハニカムローター１０８を備えており、このハニカムローター１０８を回動自在に回転軸５で支持している。そして、ハニカムローター１０８の外周にギア６を形成し、このギア６と回転駆動する駆動モーター７の歯車部７にベルト９を巻装している。また、吸湿部１２０に供給される除湿対象空気１１６と放湿部１２１に供給される除湿対象空気１１６の相互流通を抑制するように風路を仕切っており、駆動モーター７を駆動するとベルト９を介してギア６に駆動力が伝達してハニカムローター１０８が回転することになる。このハニカムローター１０８の回転によって吸着剤１０７は、吸湿部１２０における除湿対象空気１１６との接触と放湿部１２１における除湿対象空気１１６との接触を繰り返すことになる。この吸着剤１０７は、晒される空気の相対湿度が高ければ多くの水分を保持でき、相対湿度が低くなると保持可能な水分量が減少する特性を有しているので、相対湿度の異なる複数の空気との接触を繰り返せば、各々の相対湿度における吸着剤１０７の保持可能な水分量の差に応じて水分の吸脱着が行われることになる。ここで、吸着剤１０７の湿部１２０と接触する除湿対象空気１１６は、吸熱器１０５において冷媒１１７の吸熱により冷却された高い相対湿度の空気であるのに対し、放湿部１２１で吸着剤１０７と接触する除湿対象空気１１６は、放熱器１０３において冷媒１１７の放熱と補助加熱手段１により加熱された低い相対湿度の空気であるので、この相対湿度の差によって、吸着剤１０７の吸脱着作用がなされて吸放湿手段１１９が作動する。
【００３８】
図３に示すように、補助加熱手段１は、扇型のヒーターケース１０に加熱ヒーター１１を挿入し、ヒーター蓋１２で覆蓋して構成されている。ヒーターケース１０には除湿対象空気１１６の流入部１３が、ヒーター蓋１２には除湿対象空気１１６の流出部１４が開口している。補助加熱手段１はローターカバー１５とネジ止めにて固定され、最終的にハニカムローター１０８を挟み込む形で放熱器１０３と吸熱器１０５および歯車８がセットされた駆動モーター７を固定しているエバコンホルダー１６とネジ止めにて固定される構造となっている。よって、除湿対象空気１１６の流路は放熱器１０３、補助加熱手段１、放湿部１２１、吸熱器１０５、吸湿部１２０の順に供給される。第１の温度検知手段１７Ａは補助加熱手段１周辺の温度を検知するためにヒーターケース１０の流入部１３に近い位置に穴を開け、その開口部にセンサー感知部を露出させて取り付け、第２の温度検知手段１７Ｂは吸放湿手段１１９を通過した後の空気温度を検知できる補助加熱手段１の対面の位置に配置する。この配置により、補助加熱手段１に供給される除湿対象空気１１６が減少した時は、第１の温度検知手段１７Ａが補助加熱手段１周辺の空気温度の急上昇を検知する。また、異常によりハニカムローター１０８の回転が停止した時もしくは除湿対象空気１１６の相対湿度が低下した時には、第２の温度検知手段１７Ｂが吸放湿手段１１９通過後の空気温度の急上昇を素速く検知する。次に温度検知手段１７Ａ、１７Ｂの信号を受けて図１に示す出力調整手段１８が補助加熱手段１の出力制御を行うことで、異常状態が発生しても安全に機器を制御できる。
【００３９】
図４に示すように、除湿装置内の制御部１９には制御装置２０（例えばマイクロコンピューター）および補助加熱手段１の出力制御を行う加熱量制御手段２１が設けられている。
【００４０】
上記構成において、主要な動作について図５（ａ）（ｂ）を参照しながら説明する。
【００４１】
（ａ）ハニカムローター１０８の回転が停止した場合もしくは除湿対象空気１１６の相対湿度が低下した場合は、第１の温度検知手段１７Ａの検出値は上昇せず通常範囲（保護設定値Ａｈから復帰設定値Ａｒの間）にも関わらず、第２の温度検知手段１７Ｂの検出値は急上昇し、検出値が設定値（＝保護設定値Ｂｈ）を超えた時、加熱量制御手段２１は補助加熱手段１の出力を減少、または停止させる。これにより、ハニカムローター１０８への投入熱量が減少するので、ハニカムローター１０８の除湿対象空気１１６流出端面の温度は低下し、温度検知手段１７Ｂの検出値も低下してくる。温度検知手段１７Ｂの検出値が設定値（＝復帰設定値Ｂｒ）を下回った時、加熱量制御手段２１は補助加熱手段１の出力を元の状態に復帰させる。このような構成にした場合、異常状態が解消したときには、自動で除湿運転は通常運転状態に復帰するので、わざわざ使用者が除湿装置の運転をリセットする必要がなく利便性を高めることができる。
【００４２】
（ｂ）除湿対象空気１１６の供給量が減った場合は、第２の温度検知手段１７Ｂの検出値は上昇せず通常範囲（保護設定値Ｂｈから復帰設定値Ｂｒの間）にも関わらず、第１の温度検知手段１７Ａの検出値は急上昇し、検出値が設定値（＝保護設定値Ａｈ）を超えた時、加熱量制御手段２１は補助加熱手段１の出力を減少、または停止させる。これにより、ハニカムローター１０８への投入熱量が減少するので、ハニカムローター１０８の除湿対象空気１１６流出端面の温度は低下し、温度検知手段１７Ａの検出値も低下してくる。温度検知手段１７Ａの検出値が設定値（＝復帰設定値Ａｒ）を下回った時、加熱量制御手段２１は補助加熱手段１の出力を元の状態に復帰させる。異常状態が発生しても主要部品の変形等の劣化をなくし、安全性が高い制御が可能となる。
【００４３】
また、保護設定値Ａｈは、ローターカバー１５に使用する材料の熱変形温度以下である必要があり、しかも図５（ａ）（ｂ）で示されているように、加熱量制御手段２１が補助加熱手段１の出力を低下してからも、温度検知部の温度はオーバーシュートするので、余裕を持って設定する必要がある。また、復帰設定値Ａｒは、補助加熱手段１のＯＮ、ＯＦＦのハンチングを抑えるために、保護設定値よりも低く設定する必要がある。例えば、ＰＰＳ樹脂を用いて、ローターカバー１５を製造する場合では、保護設定値Ａｈは１２０℃とし、復帰設定値Ａｒを１００℃とするのが好ましい。
【００４４】
以上、説明した構成および動作により、本実施形態の除湿装置はハニカムローター１０８の回転が停止した場合もしくは除湿対象空気１１６の相対湿度が低下した場合は第２の温度検知手段１７Ｂにより、除湿対象空気１１６の供給量が減った場合には第１の温度検知手段１７Ａにより、異常が発生した際の温度上昇を素速く検知し、異常状態におかれてもタイムラグを生じずに安全に機器を保護する。
【００４５】
（実施の形態２）
図６に示すように、放湿部１２１に供給される直前の除湿対象空気１１６の温度を検知するために補助加熱手段１を通過した風路中に第１の温度検知手段１７Ｃを配置し、第２の温度検知手段１７Ｂは吸放湿手段１１９を通過した後の空気温度を検知できる補助加熱手段１の対面の位置に配置する。この配置により、外気温の低下により放湿部１２１に供給される除湿対象空気１１６の温度が低下した時は、放熱器１０３からの放熱不足による温度低下を第１の温度検知手段１７Ｃで検知する。また、補助加熱手段１に供給される除湿対象空気１１６が減少した時は、第１の温度検知手段１７Ｃが補助加熱手段１周辺の空気温度の急上昇を検知する。また、異常によりハニカムローター１０８の回転が停止した時もしくは除湿対象空気１１６の相対湿度が低下した場合には、第２の温度検知手段１７Ｂが吸放湿手段１１９通過後の空気温度の急上昇を素速く検知する。次に温度検知手段１７Ｃ、１７Ｂの信号を受けて出力調整手段１８が補助加熱手段１の出力制御を行うことで、異常状態が発生しても安全に機器を制御できる。また、ヒーターケースに穴を開ける必要がないために製造が容易で、空気漏れを防止することも必要ないために安価に制作できる。また、補助加熱手段１の通過空気温度のため設定値の絶対温度が低く、耐熱温度のグレードが低い素子が使用できるためにコストメリットがある。
【００４６】
上記構成において、主要な動作について図７（ａ）（ｂ）（ｃ）を参照しながら説明する。
【００４７】
（ａ）外気温が低下した場合は、第２の温度検知手段１７Ｂの検出値は上昇せず通常範囲（保護設定値Ｂｈから復帰設定値Ｂｒの間）にも関わらず、第１の温度検知手段１７Ｃの検出値は低下していき、検出値が設定値（＝低温設定値Ｃｃ）を下回った時、加熱量制御手段２１は補助加熱手段１の出力を増加させる。これにより、ハニカムローター１０８への投入熱量が増加するので、ハニカムローター１０８の除湿対象空気１１６流出端面の温度は上昇し、温度検知手段１７Ｃの検出値も上昇してくる。温度検知手段１７Ｃの検出値が設定値（＝復帰設定値Ｂｒ）を上回った時、加熱量制御手段２１は補助加熱手段１の出力を低下させて通常出力に戻す。
【００４８】
（ｂ）ハニカムローター１０８の回転が停止した場合もしくは除湿対象空気１１６の相対湿度が低下した場合は、第１の温度検知手段１７Ｃの検出値は上昇せず通常範囲（保護設定値Ｃｈから復帰設定値Ｃｒの間）にも関わらず、第２の温度検知手段１７Ｂの検出値は急上昇し、検出値が設定値（＝保護設定値Ｂｈ）を超えた時、加熱量制御手段２１は補助加熱手段１の出力を減少、または停止させる。これにより、ハニカムローター１０８への投入熱量が減少するので、ハニカムローター１０８の除湿対象空気１１６流出端面の温度は低下し、温度検知手段１７Ｂの検出値も低下してくる。温度検知手段１７Ｂの検出値が設定値（＝復帰設定値Ｂｒ）を下回った時、加熱量制御手段２１は補助加熱手段１の出力を元の状態に復帰させる。
【００４９】
（ｃ）除湿対象空気１１６の供給量が減った場合は、第２の温度検知手段１７Ｂの検出値は上昇せず通常範囲（保護設定値Ｂｈから復帰設定値Ｂｒの間）にも関わらず、第１の温度検知手段１７Ｃの検出値は急上昇し、検出値が設定値（＝保護設定値Ａｈ）を超えた時、加熱量制御手段２１は補助加熱手段１の出力を減少、または停止させる。これにより、ハニカムローター１０８への投入熱量が減少するので、ハニカムローター１０８の除湿対象空気１１６流出端面の温度は低下し、温度検知手段１７Ｃの検出値も低下してくる。温度検知手段１７Ｃの検出値が設定値（＝復帰設定値Ｃｒ）を下回った時、加熱量制御手段２１は補助加熱手段１の出力を元の状態に復帰させる。
【００５０】
以上、説明した構成および動作により、本実施形態の除湿装置はハニカムローター１０８の回転が停止した場合もしくは除湿対象空気１１６の相対湿度が低下した場合は第２の温度検知手段１７Ｂにより、除湿対象空気１１６の供給量が減った場合には第１の温度検知手段１７Ｃにより、異常発生を素速く検知し、異常状態におかれてもタイムラグを生じずに安全に機器を保護する。また、外気温が低下した場合には、第１の温度検知手段１７Ｃにより、検知し補助加熱手段１の出力を増加させるために除湿効率の良い除湿ができる。
【００５１】
（実施の形態３）
図８に示すように、補助加熱手段１を支持または形成する構造体の温度を検知するために補助加熱手段１を支持または形成する構造体に第１の温度検知手段１７Ｄを配置し、温度検知手段１７Ｂは吸放湿手段１１９を通過した後の空気温度を検知できる補助加熱手段１の対面の位置に配置する。この配置により、補助加熱手段１自体に異常が発生した時は、補助加熱手段１を支持または形成する構造体の温度上昇を第１の温度検知手段１７Ｄで素速く検知する。さらに補助加熱手段１に供給される除湿対象空気１１６が減少した時は、第１の温度検知手段１７Ｄが温度上昇を検知する。また、異常によりハニカムローター１０８の回転が停止した時もしくは除湿対象空気１１６の相対湿度が低下した場合には、温度検知手段１７Ｂが吸放湿手段１１９通過後の空気温度の急上昇を素速く検知する。次に温度検知手段１７Ｄ、１７Ｂの信号を受けて出力調整手段１８が補助加熱手段１の出力制御を行うことで、異常状態が発生しても安全に機器を制御できる。また、ヒーターケースに穴を開ける必要がないために製造が容易で、空気漏れを防止することも必要ないために安価に制作できる。また、構造体の温度上昇を測定するために応答性が良く空気温度を測定するよりも高温にはならないためにセンサー自体の耐熱温度が低くてすむためコスト的なメリットもあり温度の安定性も高くて、保護設定値（Ｄｈ）と復帰設定値（Ｄｒ）の差を小さく設定できてセンサーの応答性も良い。また、センサー固定が簡単で小型化か可能である。
【００５２】
上記構成において、主要な動作について図９（ａ）（ｂ）を参照しながら説明する。
【００５３】
（ａ）ハニカムローター１０８の回転が停止した場合もしくは除湿対象空気１１６の相対湿度が低下した場合は、第１の温度検知手段１７Ｄの検出値は上昇せず通常範囲（保護設定値Ｄｈから復帰設定値Ｄｒの間）にも関わらず、第２の温度検知手段１７Ｂの検出値は急上昇し、検出値が設定値（＝保護設定値Ｂｈ）を超えた時、加熱量制御手段２１は補助加熱手段１の出力を減少、または停止させる。これにより、ハニカムローター１０８への投入熱量が減少するので、ハニカムローター１０８の除湿対象空気１１６流出端面の温度は低下し、温度検知手段１７Ｂの検出値も低下してくる。温度検知手段１７Ｂの検出値が設定値（＝復帰設定値Ｂｒ）を下回った時、加熱量制御手段２１は補助加熱手段１の出力を元の状態に復帰させる。
【００５４】
（ｂ）補助加熱手段１自体に異常が発生した場合もしくは除湿対象空気１１６の供給量が減った場合は、第２の温度検知手段１７Ｂの検出値は上昇せず通常範囲（保護設定値Ｂｈから復帰設定値Ｂｒの間）にも関わらず、第１の温度検知手段１７Ｄの検出値は急上昇し、検出値が設定値（＝保護設定値Ｄｈ）を超えた時、加熱量制御手段２１は補助加熱手段１の出力を減少、または停止させる。これにより、ハニカムローター１０８への投入熱量が減少するので、ハニカムローター１０８の除湿対象空気１１６流出端面の温度は低下し、温度検知手段１７Ｄの検出値も低下してくる。温度検知手段１７Ｄの検出値が設定値（＝復帰設定値Ｄｒ）を下回った時、加熱量制御手段２１は補助加熱手段１の出力を元の状態に復帰させる。
【００５５】
以上、説明した構成および動作により、本実施形態の除湿装置はハニカムローター１０８の回転が停止した場合もしくは除湿対象空気１１６の相対湿度が低下した場合は第２の温度検知手段１７Ｂにより、補助加熱手段１自体に異常が発生した場合もしくは除湿対象空気１１６の供給量が減った場合には第１の温度検知手段１７Ｄにより、異常発生を素速く検知し、異常状態におかれてもタイムラグを生じずに安全に機器を保護する。また、外気温が低下した場合には、第１の温度検知手段１７Ｄにより、検知し補助加熱手段１の出力を増加させるために除湿効率の良い除湿ができる。
【００５６】
（実施の形態４）
図１０に示すように、補助加熱手段１の風上で且つ上方の位置に第１の温度検知手段１７Ｅを配置し、第２の温度検知手段１７Ｂは吸放湿手段１１９を通過した後の空気温度を検知できる補助加熱手段１の対面の位置に配置する。この配置により、加熱対象空気の供給量が減少（加熱対象空気用送風ファン２の故障等）した時は補助加熱手段１の風上で且つ上方部分の空気温度が上昇し、第１の温度検知手段１７Ｅが素速く検知する。さらに補助加熱手段１に供給される除湿対象空気１１６が減少した時は、第１の温度検知手段１７Ｅが温度上昇を検知する。また、異常によりハニカムローター１０８の回転が停止した場合もしくは除湿対象空気１１６の相対湿度が低下した場合には、温度検知手段１７Ｂが吸放湿手段１１９通過後の空気温度の急上昇を素速く検知する。次に温度検知手段１７Ｅ、１７Ｂの信号を受けて出力調整手段１８が補助加熱手段１の出力制御を行うことで、異常状態が発生しても安全に機器を制御できる。また、ヒーターケースに穴を開ける必要がないために製造が容易で、空気漏れを防止することも必要ないために安価に制作できる。また、エバコンホルダー１６に設置可能なため、配線がより簡単になり製造組立性が良い。
【００５７】
上記構成において、主要な動作について図１１（ａ）（ｂ）を参照しながら説明する。
【００５８】
（ａ）ハニカムローター１０８の回転が停止した場合もしくは除湿対象空気１１６の相対湿度が低下した場合は、第１の温度検知手段１７Ｅの検出値は上昇せず通常範囲（保護設定値Ｅｈから復帰設定値Ｅｒの間）にも関わらず、第２の温度検知手段１７Ｂの検出値は急上昇し、検出値が設定値（＝保護設定値Ｂｈ）を超えた時、加熱量制御手段２１は補助加熱手段１の出力を減少、または停止させる。これにより、ハニカムローター１０８への投入熱量が減少するので、ハニカムローター１０８の除湿対象空気１１６流出端面の温度は低下し、温度検知手段１７Ｂの検出値も低下してくる。温度検知手段１７Ｂの検出値が設定値（＝復帰設定値Ｂｒ）を下回った時、加熱量制御手段２１は補助加熱手段１の出力を元の状態に復帰させる。
【００５９】
（ｂ）加熱対象空気３の供給量が減少した場合もしくは除湿対象空気１１６の供給量が減った場合は、第２の温度検知手段１７Ｂの検出値は上昇せず通常範囲（保護設定値Ｂｈから復帰設定値Ｂｒの間）にも関わらず、第１の温度検知手段１７Ｅの検出値は急上昇し、検出値が設定値（＝保護設定値Ｅｈ）を超えた時、加熱量制御手段２１は補助加熱手段１の出力を減少、または停止させる。これにより、ハニカムローター１０８への投入熱量が減少するので、ハニカムローター１０８の除湿対象空気１１６流出端面の温度は低下し、温度検知手段１７Ｅの検出値も低下してくる。温度検知手段１７Ｅの検出値が設定値（＝復帰設定値Ｅｒ）を下回った時、加熱量制御手段２１は補助加熱手段１の出力を元の状態に復帰させる。
【００６０】
以上、説明した構成および動作により、本実施形態の除湿装置はハニカムローター１０８の回転が停止した場合もしくは除湿対象空気１１６の相対湿度が低下した場合は第２の温度検知手段１７Ｂにより、加熱対象空気の供給量が減少した場合もしくは除湿対象空気１１６の供給量が減った場合には第１の温度検知手段１７Ｅにより、異常発生を素速く検知し、異常状態におかれてもタイムラグを生じずに安全に機器を保護する。
【００６１】
（実施の形態５）
図１２（ａ）に示すように、本体外郭部に機外雰囲気温度を検知する機外雰囲気温度検知手段２２を配置する。この配置により、機外雰囲気温度の変化を機外雰囲気温度検知手段２２が素速く検知できる。機外雰囲気温度検知手段２２の検出温度に応じて圧縮機１０２を運転制御する圧縮機制御手段（図示せず）を設けている。
【００６２】
主要な動作について図１２（ｂ）を参照しながら説明する。（イ）除湿機の運転可能な温度は機外の雰囲気温度が１℃から４０℃で、その範囲外では圧縮機１０２の信頼性確保のために運転できないような制御としている。（ロ）外気温が低い場合、通常のコンプレッサー式除湿機では約１５℃で吸熱器１０５に着霜し始め、極端に除湿量が減少するので、外気温が低い時の除湿量低下を抑制するために１５℃以下で運転モードに関わらず強制的に補助加熱手段１をＯＮさせる制御とし、除湿能力の低下を抑制する。（ハ）３２℃以上では高温時の安全性確保のために補助加熱手段１を強制的にＯＦＦさせる制御とし、機器の安全性を確保する。（ニ）機外雰囲気温度が１５℃から３２℃の時は、使用者の選択により補助加熱手段１のＯＮ−ＯＦＦができるような制御とし、補助加熱手段１のＯＮした時に除湿能力がＵＰするようにしている。よって、機外雰囲気温度の変化を素速く検知し、補助加熱手段１の出力制御をきめ細かく制御できることにより、効率の良い除湿運転ができる。
【００６３】
（実施の形態６）
図１３（ａ）に示すように、本体外郭部に機外雰囲気湿度を検知する機外雰囲気湿度検知手段２３を配置する。この配置により、機外雰囲気湿度の変化を機外雰囲気湿度検知手段２３が素速く検知できる。また、機外雰囲気湿度検知手段２３による検出湿度に応じて、圧縮機１０２を運転制御する圧縮機制御手段（図示せず）を有している。
【００６４】
主要な動作について図１３（ｂ）を参照しながら説明する。（イ）除湿機の運転可能な温度は機外の雰囲気温度が１℃から４０℃で、その範囲外では圧縮機１０２の信頼性確保のために運転できないような制御としている。（ロ）湿度が２０％以下の低湿条件ではハニカムローター１０８の保護のために補助加熱手段１に電源が入らないような制御としている。（ハ）外気温が低い場合、通常のコンプレッサー式除湿機では約１５℃で吸熱器１０５に着霜し始め、極端に除湿量が減少するので、外気温が低い時の除湿量低下を抑制するために１５℃以下で運転モードに関わらず強制的に補助加熱手段１をＯＮさせる制御とし、除湿能力の低下を抑制する。（ニ）３２℃以上では高温時の安全性確保のために補助加熱手段１を強制的にＯＦＦさせる制御とし、機器の安全性を確保する。（ホ）機外雰囲気温度が１５℃から３２℃の時は、使用者の選択により補助加熱手段１のＯＮ−ＯＦＦができるような制御とし、補助加熱手段１のＯＮした時に除湿能力がＵＰするようにしている。したがって、機外雰囲気温湿度の変化を素速く検知し、補助加熱手段１の出力制御をきめ細かく制御できることにより、効率の良い除湿運転ができる。また、除湿対象空気が低湿の場合にもハニカムローターの熱劣化を抑えた運転ができる。
【産業上の利用可能性】
【００６５】
以上のように本発明にかかる除湿装置は、循環経路１１１を要しない簡易な構成で、多様な環境下で効率の良い除湿を行い得るものであり、また、異常状態におかれても安全に機器を制御できるため、除湿機、乾燥機、空調機、溶剤回収装置等の高効率な除湿機能が所望される用途に適している。
【図面の簡単な説明】
【００６６】
【図１】本発明の実施形態１にかかる除湿装置の概略構成を示した図
【図２】同、除湿装置の吸放湿手段１１９の詳細構成を示した図
【図３】同、除湿対象空気１１６の流路構成を示した分解斜視図
【図４】同、補助加熱手段１の出力を制御する出力調整手段１８の構成を説明するブロック回路図
【図５】同、補助加熱手段１の出力を制御する出力調整手段１８の構成を説明する制御シーケンスの説明図
【図６】本発明の実施形態２にかかる除湿装置の温度検知手段１７Ｃの設置位置を示した分解斜視図
【図７】同、補助加熱手段１の出力を制御する出力調整手段１８の制御シーケンスの説明図
【図８】本発明の実施形態３にかかる除湿装置の温度検知手段１７Ｄの設置位置を示した構成図
【図９】同、補助加熱手段１の出力を制御する出力調整手段１８の制御シーケンスの説明図
【図１０】本発明の実施形態４にかかる除湿装置の温度検知手段１７Ｅの設置位置を示した構成図
【図１１】同、補助加熱手段１の出力を制御する出力調整手段１８の制御シーケンスの説明図
【図１２】本発明の実施形態５にかかる除湿装置の機外雰囲気温度検知手段２２の設置位置を示した構成図および補助加熱手段１の出力を制御する出力調整手段１８の制御シーケンスの説明図
【図１３】本発明の実施形態６にかかる除湿装置の機外雰囲気湿度検知手段２３の設置位置を示した構成図および補助加熱手段１の出力を制御する出力調整手段１８の制御シーケンスの説明図
【図１４】従来のヒートポンプと吸放湿手段を備えた除湿装置の概略構成を示した図
【図１５】従来の吸放湿手段と温度センサーを備えた除湿装置の概略構成を示した図
【符号の説明】
【００６７】
１        補助加熱手段
１７Ａ    温度検知手段
１７Ｂ    温度検知手段
１７Ｃ    温度検知手段
１７Ｄ    温度検知手段
１７Ｅ    温度検知手段
１８      出力調整手段
２２      機外雰囲気温度検知手段
２３      機外雰囲気湿度検知手段
１０２    圧縮機
１０３    放熱器
１０４    膨張機構
１０５    吸熱器
１０７    吸着剤
１０８    ハニカムローター
１１６    除湿対象空気
１１７    冷媒
１１８    ヒートポンプ
１１９    吸放湿手段
１２０    吸湿部
１２１    放湿部
【図１】
2006175390.tif 000003
【図２】
2006175390.tif 000004
【図３】
2006175390.tif 000005
【図４】
2006175390.tif 000006
【図５】
2006175390.tif 000007
【図６】
2006175390.tif 000008
【図７】
2006175390.tif 000009
【図８】
2006175390.tif 000010
【図９】
2006175390.tif 000011
【図１０】
2006175390.tif 000012
【図１１】
2006175390.tif 000013
【図１２】
2006175390.tif 000014
【図１３】
2006175390.tif 000015
【図１４】
2006175390.tif 000016
【図１５】
2006175390.tif 000017